(57)【要約】【課題】  移動通信端末機のＩＭＰＳクライアントセッション復旧時間を短縮し得る移動通信端末機のクライアントセッション復旧方法を提供する。【解決手段】  移動通信端末機のクライアントセッション復旧方法は、移動通信端末機に搭載されたクライアントがサーバーとのセッションを開放する過程と、クライアントが移動通信端末機のメモリにセッション情報を保存する過程と、セッションが開放された状態で移動通信端末機が再起動すると、クライアントがメモリに保存されたセッション情報を利用して、サーバーとのセッションを再開放する過程とを含む。【選択図】図１
2005354687.tif 000002
【特許請求の範囲】
【請求項１】
移動通信端末機に搭載されたクライアントがサーバーとのセッションを開放する過程と、
前記クライアントが前記移動通信端末機のメモリにセッション情報を保存する過程と、
前記セッションが開放された状態で前記移動通信端末機が再起動すると、前記クライアントが前記メモリに保存されたセッション情報を利用して、前記サーバーとのセッションを再開放する過程と、
を含むことを特徴とする移動通信端末機のクライアントセッション復旧方法。
【請求項２】
前記セッションが閉鎖されると、前記クライアントが前記セッション情報を削除する過程をさらに含むことを特徴とする請求項１に記載の移動通信端末機のクライアントセッション復旧方法。
【請求項３】
前記クライアントがセッションを再開放する過程は、
前記移動通信端末機が再起動すると、前記クライアントが前記メモリにセッション情報が存在するかどうかを判断する過程と、
前記メモリにセッション情報が存在すると、前記クライアントが前記セッションの有効性を判断する過程と、
前記セッションが有効であると、前記クライアントが前記サーバーから連絡目録の状態情報を獲得して更新する過程と、
を含むことを特徴とする請求項１に記載の移動通信端末機のクライアントセッション復旧方法。
【請求項４】
前記メモリにセッション情報が存在しないか、又は前記セッションが有効でないと、前記クライアントが前記サーバーとのセッションを開放する過程と同様のセッション再開放過程をさらに含むことを特徴とする請求項３に記載の移動通信端末機のクライアントセッション復旧方法。
【請求項５】
前記クライアントが、ＩＭＰＳクライアントであることを特徴とする請求項１に記載の移動通信端末機のクライアントセッション復旧方法。
【請求項６】
前記メモリが、非揮発性メモリであることを特徴とする請求項１に記載の移動通信端末機のクライアントセッション復旧方法。
【請求項７】
前記セッション情報が、セッションＩＤ、連絡目録情報、該連絡目録の構成員の状態情報中の少なくとも１つを含むことを特徴とする請求項１に記載の移動通信端末機のクライアントセッション復旧方法。
【請求項８】
移動通信端末機に搭載されたクライアントがメモリに保存されたセッション情報が存在するかどうかを判断する過程と、
前記セッション情報が存在すると、前記クライアントがサーバーとのセッションが有効であるかどうかを判断する過程と、
前記セッションが有効であると、前記クライアントが前記サーバーから連絡目録の状態情報を受信して更新する過程と、
を含むことを特徴とする移動通信端末機のクライアントセッション復旧方法。
【請求項９】
前記セッション情報が、セッションＩＤ、連絡目録情報、該連絡目録の構成員の状態情報中の少なくとも１つを含むことを特徴とする請求項８に記載の移動通信端末機のクライアントセッション復旧方法。
【請求項１０】
前記クライアントが、前記サーバーとのセッションを閉鎖する場合、前記メモリに保存されたセッション情報を削除する過程をさらに含むことを特徴とする請求項８に記載の移動通信端末機のクライアントセッション復旧方法。
【請求項１１】
前記セッションが有効であるかどうかを判断する過程は、
前記クライアントが活動維持要求メッセージを前記サーバーに伝送する過程と、
前記サーバーから前記セッションの有効性の有無を含む活動維持応答メッセージを受信する過程と、
を含むことを特徴とする請求項８に記載の移動通信端末機のクライアントセッション復旧方法。
【請求項１２】
前記連絡目録の状態情報を更新する過程は、
前記クライアントが状態情報獲得要求メッセージを前記サーバーに伝送する過程と、
前記サーバーから前記連絡目録の最近の状態情報を含む状態情報獲得応答メッセージを受信する過程と、
前記メモリに保存された連絡目録の状態情報を最近の状態情報に更新する過程と、
を含むことを特徴とする請求項８に記載の移動通信端末機のクライアントセッション復旧方法。
【請求項１３】
前記メモリにセッション情報が存在しないか、又は前記セッションが有効でないと、前記クライアントが前記サーバーにログインする過程と、
サービスを要求する過程と、
前記サーバーから連絡目録を獲得する過程と、
前記連絡目録の構成員の情報を受信する過程と、
前記構成員の各状態情報を獲得する過程と、
前記クライアントが自分の状態情報を更新する過程と、
前記サーバーからメッセージの交換が遮断された目録を獲得する過程と、
前記メモリに獲得したセッション情報を保存する過程と、
を含むことを特徴とする請求項８に記載の移動通信端末機のクライアントセッション復旧方法。
【請求項１４】
前記クライアントが、ＩＭＰＳクライアントであることを特徴とする請求項８に記載の移動通信端末機のクライアントセッション復旧方法。
【請求項１５】
前記メモリが、非揮発性メモリであることを特徴とする請求項８に記載の移動通信端末機のクライアントセッション復旧方法。
【発明の詳細な説明】
【技術分野】
【０００１】
本発明は、ＩＭＰＳ（Ｉｎｓｔａｎｔ  Ｍｅｓｓａｇｉｎｇ  ａｎｄ  Ｐｒｅｓｅｎｃｅ  Ｓｅｒｖｉｃｅｓ）に関し、特に、セッションの開放に多くの時間が要求される移動通信端末機のクライアントセッション復旧方法に関するものである。
【背景技術】
【０００２】
ＩＭＰＳは、最近、インターネットをベースとする新しい通信手段に対する技術であって、移動装置と移動通信サービス、インターネットベースのインスタントメッセージングサービス間にメッセージと状態情報を交換するために用いられる。即ち、前記ＩＭＰＳの最も大きな特徴は、状態サービスとインスタントメッセージングサービスである。
【０００３】
ここで、前記状態サービスは、ＩＭＰＳクライアントの状態情報、ユーザーの状態情報、及びサービス登録されたユーザーのリスト管理機能などを提供し、前記インスタントメッセージングサービスは、テキスト、ビデオ、画像、及び音響などを含むインスタントメッセージを特定のクライアント又は他のインスタントメッセージングシステムのユーザーに伝送するか、又は受信し得るようにする。
【０００４】
また、前記ＩＭＰＳシステムは、特定装置に搭載されてＩＭＰＳサービスを実現するクライアントと、クライアントとセッションとを接続して、状態情報及びインスタントメッセージが該当クライアントに送信されるように制御するサーバーとから構成される。
【０００５】
また、前記クライアントは、インスタントメッセージングサービスを利用するために、一連の過程を経て前記サーバーとのセッションを設定した後にログイン状態に進む。このとき、前記クライアントは、前記サーバーにログインを要求して、前記サーバーから自分の連絡目録ＩＤリスト及び各連絡対象の状態情報を獲得する過程を行う。
【発明の開示】
【発明が解決しようとする課題】
【０００６】
然るに、従来のＩＭＰＳクライアントは、セッションを開放する度毎に、前述の過程を経てセッションを開放することでログイン状態に進む。即ち、前記クライアントのセッションが開放された場合、前記クライアントが搭載された装置の電源をオフしてからオンすると、前記クライアントは、再び前述の過程を経てセッションを開放してサーバーから前記セッションに対する情報を受信しなければならない。
【０００７】
特に、ＩＭＰＳクライアントが移動通信端末機に搭載された場合、前記移動通信端末機のデータ転送速度は一般の有線インターネットよりも遅いため、ユーザーが前記移動通信端末機の電源をオンしてからオフする場合、該当移動通信端末機のクライアントがセッションを開放して再びログインする時間が長引くという問題点があった。
【０００８】
本発明は、このような従来技術の問題点を解決するためになされたもので、移動通信端末機のＩＭＰＳクライアントセッション復旧時間を短縮し得る移動通信端末機のクライアントセッション復旧方法を提供することを目的とする。
【０００９】
また、本発明の他の目的は、移動通信端末機のＩＭＰＳクライアントを再開放する場合、前記ＩＭＰＳクライアントの有効性によってセッション復旧過程を簡単にすることができる移動通信端末機のクライアントセッション復旧方法を提供することにある。
【課題を解決するための手段】
【００１０】
このような目的を達成するために、本発明に係る移動通信端末機のクライアントセッション復旧方法においては、移動通信端末機に搭載されたクライアントがサーバーとのセッションを開放する過程と、前記クライアントが前記移動通信端末機のメモリにセッション情報を保存する過程と、前記セッションが開放された状態で前記移動通信端末機が再起動すると、前記クライアントが前記メモリに保存されたセッション情報を利用して、前記サーバーとのセッションを再開放する過程とを含むことを特徴とする。
【００１１】
本発明に係る移動通信端末機のクライアントセッション復旧方法においては、移動通信端末機に搭載されたクライアントがメモリに保存されたセッション情報が存在するかどうかを判断する過程と、前記セッション情報が存在すると、前記クライアントがサーバーとのセッションが有効であるかどうかを判断する過程と、前記セッションが有効であると、前記クライアントが前記サーバーから連絡目録の状態情報を受信して更新する過程とを含むことを他の特徴とする。
【００１２】
上記目的を達成するために、本発明は、例えば、以下の手段を提供する。
（項目１）
移動通信端末機に搭載されたクライアントがサーバーとのセッションを開放する過程と、
前記クライアントが前記移動通信端末機のメモリにセッション情報を保存する過程と、
前記セッションが開放された状態で前記移動通信端末機が再起動すると、前記クライアントが前記メモリに保存されたセッション情報を利用して、前記サーバーとのセッションを再開放する過程と、
を含むことを特徴とする移動通信端末機のクライアントセッション復旧方法。
（項目２）
前記セッションが閉鎖されると、前記クライアントが前記セッション情報を削除する過程をさらに含むことを特徴とする項目１に記載の移動通信端末機のクライアントセッション復旧方法。
（項目３）
前記クライアントがセッションを再開放する過程は、
前記移動通信端末機が再起動すると、前記クライアントが前記メモリにセッション情報が存在するかどうかを判断する過程と、
前記メモリにセッション情報が存在すると、前記クライアントが前記セッションの有効性を判断する過程と、
前記セッションが有効であると、前記クライアントが前記サーバーから連絡目録の状態情報を獲得して更新する過程と、
を含むことを特徴とする項目１に記載の移動通信端末機のクライアントセッション復旧方法。
（項目４）
前記メモリにセッション情報が存在しないか、又は前記セッションが有効でないと、前記クライアントが前記サーバーとのセッションを開放する過程と同様のセッション再開放過程をさらに含むことを特徴とする項目３に記載の移動通信端末機のクライアントセッション復旧方法。
（項目５）
前記クライアントが、ＩＭＰＳクライアントであることを特徴とする項目１に記載の移動通信端末機のクライアントセッション復旧方法。
（項目６）
前記メモリが、非揮発性メモリであることを特徴とする項目１に記載の移動通信端末機のクライアントセッション復旧方法。
（項目７）
前記セッション情報が、セッションＩＤ、連絡目録情報、該連絡目録の構成員の状態情報中の少なくとも１つを含むことを特徴とする項目１に記載の移動通信端末機のクライアントセッション復旧方法。
（項目８）
移動通信端末機に搭載されたクライアントがメモリに保存されたセッション情報が存在するかどうかを判断する過程と、
前記セッション情報が存在すると、前記クライアントがサーバーとのセッションが有効であるかどうかを判断する過程と、
前記セッションが有効であると、前記クライアントが前記サーバーから連絡目録の状態情報を受信して更新する過程と、
を含むことを特徴とする移動通信端末機のクライアントセッション復旧方法。
（項目９）
前記セッション情報が、セッションＩＤ、連絡目録情報、該連絡目録の構成員の状態情報中の少なくとも１つを含むことを特徴とする項目８に記載の移動通信端末機のクライアントセッション復旧方法。
（項目１０）
前記クライアントが、前記サーバーとのセッションを閉鎖する場合、前記メモリに保存されたセッション情報を削除する過程をさらに含むことを特徴とする項目８に記載の移動通信端末機のクライアントセッション復旧方法。
（項目１１）
前記セッションが有効であるかどうかを判断する過程は、
前記クライアントが活動維持要求メッセージを前記サーバーに伝送する過程と、
前記サーバーから前記セッションの有効性の有無を含む活動維持応答メッセージを受信する過程と、
を含むことを特徴とする項目８に記載の移動通信端末機のクライアントセッション復旧方法。
（項目１２）
前記連絡目録の状態情報を更新する過程は、
前記クライアントが状態情報獲得要求メッセージを前記サーバーに伝送する過程と、
前記サーバーから前記連絡目録の最近の状態情報を含む状態情報獲得応答メッセージを受信する過程と、
前記メモリに保存された連絡目録の状態情報を最近の状態情報に更新する過程と、
を含むことを特徴とする項目８に記載の移動通信端末機のクライアントセッション復旧方法。
（項目１３）
前記メモリにセッション情報が存在しないか、又は前記セッションが有効でないと、前記クライアントが前記サーバーにログインする過程と、
サービスを要求する過程と、
前記サーバーから連絡目録を獲得する過程と、
前記連絡目録の構成員の情報を受信する過程と、
前記構成員の各状態情報を獲得する過程と、
前記クライアントが自分の状態情報を更新する過程と、
前記サーバーからメッセージの交換が遮断された目録を獲得する過程と、
前記メモリに獲得したセッション情報を保存する過程と、
を含むことを特徴とする項目８に記載の移動通信端末機のクライアントセッション復旧方法。
（項目１４）
前記クライアントが、ＩＭＰＳクライアントであることを特徴とする項目８に記載の移動通信端末機のクライアントセッション復旧方法。
（項目１５）
前記メモリが、非揮発性メモリであることを特徴とする項目８に記載の移動通信端末機のクライアントセッション復旧方法。
【発明の効果】
【００１３】
本発明に係る移動通信端末機のＩＭＰＳクライアントセッション復旧方法においては、以前のセッションが有効な場合、セッション開放過程を簡単にすることができるだけでなく、セッション復旧時間を短縮することができるため、データ転送速度の遅い移動通信端末機を使用するユーザーの利便性を向上し得るという効果がある。
【００１４】
また、本発明に係る移動通信端末機のＩＭＰＳクライアントセッション復旧方法においては、簡単なセッション開放過程を通じてセッションを復旧することができるため、不要なデータ転送を抑制してトラフィックを減少させるだけでなく、無線資源を効率的に利用し得るという効果がある。
【発明を実施するための最良の形態】
【００１５】
以下、添付の図面を参照して、本発明に係る移動通信端末機のクライアントセッション復旧方法の好ましい実施形態を説明する。
【００１６】
本発明においては、移動通信端末機に搭載されたＩＭＰＳクライアントのセッションが開放されると、前記ＩＭＰＳクライアントは、前記セッションの情報を前記移動通信端末機のメモリに保存する。また、前記移動通信端末機の電源をオフしてからオンする場合、前記ＩＭＰＳクライアントは、前記セッションが有効であるかどうかを確認した後、有効であると、前記メモリに保存された情報を利用して前記セッションを復旧する。このとき、前記メモリは、非揮発性メモリ（Ｎｏｎｖｏｌａｔｉｌｅ  Ｍｅｍｏｒｙ）であり、該非揮発性メモリに保存されるセッションの情報には、連絡目録情報（Ｃｏｎｔａｃｔ  Ｌｉｓｔｓ  Ｉｎｆｏｒｍａｔｉｏｎ）、状態情報（Ｃｏｎｔａｃｔｓ  Ｉｎｆｏｒｍａｔｉｏｎ）、及びセッションを確認するためのセッションＩＤなどが含まれる。
【００１７】
また、前記ＩＭＰＳクライアントは、前記メモリに保存された情報を利用して前記セッションを復旧するために、前記サーバーと活動維持トランザクション（Ｋｅｅｐ  Ａｌｉｖｅ  Ｔｒａｎｓａｃｔｉｏｎ）を行った結果、以前のセッションが有効であると判断されると、前記メモリに保存された情報に状態情報を更新することで、該当セッションを再開放して再ログインする。
【００１８】
図１は、本発明に係る移動通信端末機のＩＭＰＳクライアントセッション復旧方法を示したフローチャートで、図２は、本発明に係る移動通信端末機のＩＭＰＳクライアントセッション復旧方法の一実施例を示した信号フローチャートで、図示されたように、所定の移動通信端末機を用いてインスタントメッセージングサービスを試みる場合、前記移動通信端末機のＩＭＰＳクライアント１０は、メモリにセッション情報が保存されているか否かを確認する（Ｓ３１）。ここで、前記セッション情報には、以前のセッション情報であり、連絡目録情報、状態情報、及びセッションを確認するためのセッションＩＤなどが含まれる。
【００１９】
次に、前記メモリにセッション情報が保存されていると、前記ＩＭＰＳクライアント１０は、前記セッション情報のセッションＩＤを利用して、前記サーバー２０と活動維持トランザクションを行うことで、サーバー２０とのセッションが有効であるかどうかを確認する（Ｓ３３）。ここで、前記活動維持トランザクションは、前記ＩＭＰＳクライアント１０が前記サーバー２０に伝送する活動維持要求メッセージ（Ｋｅｅｐ  Ａｌｉｖｅ  Ｒｅｑｕｅｓｔ）と、前記活動維持要求メッセージに対する応答として、前記サーバー２０が前記ＩＭＰＳクライアント１０に伝送する活動維持応答メッセージ（Ｋｅｅｐ  Ａｌｉｖｅ  Ｒｅｓｐｏｎｓｅ）とからなる。
【００２０】
次に、前記セッションが有効であると（Ｓ３５）、前記ＩＭＰＳクライアント１０は、前記サーバー２０と状態情報獲得トランザクション（Ｇｅｔ  Ｐｒｅｓｅｎｃｅ  Ｔｒａｎｓａｃｔｉｏｎ）を行って、前記連絡目録の各構成員の状態情報を更新することでセッションを開放する０３９２６（Ｓ３７）。即ち、移動通信端末機のメモリに保存されたセッション情報を利用して、ＩＭＰＳクライアント１０とサーバー２０間のセッションが有効であるかどうかを判断し、前記セッションが有効であると、前記メモリに保存された連絡目録の状態情報を更新する過程だけで、前記ＩＭＰＳクライアント１０と前記サーバー２０間のセッションを開放することができる。
【００２１】
一方、前記メモリにセッション情報が保存されていないとき（Ｓ３１）、又は前記活動維持トランザクションを行って確認した前記ＩＭＰＳクライアント１０と前記サーバー２０間のセッションが有効でないとき（Ｓ３５）、従来と同様に、前記サーバーから連絡目録ＩＤと各連絡対象の状態情報とを受信する過程を経てセッションを開放する（Ｓ１１〜Ｓ２３）。即ち、ログイン要求メッセージとログイン応答メッセージとを利用して、前記ＩＭＰＳクライアント１０が前記サーバー２０にログインし（Ｓ１１）、サービス要求メッセージとサービス応答メッセージとを利用してサービス要求過程を行い（Ｓ１３）、リスト獲得要求メッセージとリスト獲得応答メッセージとを利用して自分の連絡目録ＩＤに対するリストを獲得する（Ｓ１５）。また、前記連絡目録を受信した後、リスト管理要求メッセージとリスト管理応答メッセージとを利用してリスト管理過程を行い（Ｓ１７）、状態情報要求メッセージと状態情報応答メッセージとを利用して前記サーバー２０から状態情報を獲得した後（Ｓ１９）、状態情報更新メッセージと状態メッセージとを利用して自分の状態情報を更新し（Ｓ２１）、遮断目録要求メッセージと遮断目録応答メッセージとを利用してメッセージや招待などを遮断したエンティティの目録を獲得することでセッションを開放する（Ｓ２３）。
【００２２】
このような過程を通じてセッションが成功的に開放されると、前記ＩＭＰＳクライアント１０は、前記移動通信端末機のメモリに、前記連絡目録に対する情報と、状態情報と、前記ログイン応答メッセージを利用して受信したセッションＩＤとを保存する（Ｓ３９）。ここで、前記メモリは、前記移動通信端末機の電源がオフしても保存された情報が削除されない非揮発性メモリである。
【００２３】
本発明において、前記ＩＭＰＳクライアントは、サーバーとのセッションが成功的に開放された後、連絡目録、該連絡目録の各構成員の状態情報、及びセッションＩＤなどをメモリに保存し、前記セッションを閉鎖する際に、前記メモリに保存されたセッション情報を全て削除する。しかし、前記セッションが開放された状態で前記ＩＭＰＳクライアントが搭載された移動通信端末機の電源を再起動する場合、前記ＩＭＰＳクライアントは、前記メモリに保存されたセッション情報を保存し、前記セッション情報を利用して前記サーバーとのセッションを再開放することで、該当セッション情報を獲得するための過程を省略することができる。
【００２４】
図２の説明において、移動通信端末機のメモリにセッション情報が保存されており、前記セッションが開放された状態で前記移動通信端末機の電源が再起動すると仮定する。
【００２５】
前記ＩＭＰＳクライアント１０は、前記サーバー２０とのセッションの有効性を確認するために、前記メモリに保存されたセッション情報のセッションＩＤを利用して、前記サーバー２０に活動維持要求メッセージを送信し、前記サーバー２０から前記活動維持要求メッセージに対する応答を含む活動維持応答メッセージを受信する（Ｓ３３）。
【００２６】
前記活動維持応答メッセージの値が「成功（ｓｕｃｃｅｓｓｆｕｌ）」であると、前記セッションは有効なものであるため、前記ＩＭＰＳクライアント１０は、前記サーバー２０に状態情報獲得要求メッセージ（Ｇｅｔ  Ｐｒｅｓｅｎｃｅ  Ｒｅｑｕｅｓｔ）を送信し、前記サーバー２０から前記メモリに保存された連絡目録に対する状態情報を含む状態情報獲得応答メッセージを受信することで、前記連絡目録の状態情報を更新する（Ｓ３７）。
【００２７】
反面、前記活動維持応答メッセージの値が「セッション終了（Ｓｅｓｓｉｏｎ  Ｅｘｐｉｒｅｄ）」又は「ログイン不可（Ｎｏｔ  Ｌｏｇｇｅｄ  Ｉｎ）」などのエラーであると、前記移動通信端末機の電源オフ状態が長引くため、前記サーバー２０は、前記ＩＭＰＳクライアント１０がセッションでログアウトしたと判断する。このとき、前記移動通信端末機のメモリに保存されたセッション情報は、セッションの設定に使用し得ない情報であるため、前記ＩＭＰＳクライアント１０は、図１に示したような従来のセッション設定過程を行う。
【００２８】
以下、本発明に係るセッション復旧方法を詳しく説明する。
【００２９】
ユーザーがメモリにセッション情報の保存されていない移動通信端末機にインスタントメッセージングサービスを試みる場合、該移動通信端末機に搭載されたＩＭＰＳクライアント１０は、ログイン過程と、サービス要求過程と、連絡目録獲得過程と、リスト管理過程と、状態情報獲得過程と、自分の状態情報更新過程と、遮断目録獲得過程とを順次行うことで、前記サーバー２０とのセッションを設定する。かつ、前記ＩＭＰＳクライアント１０は、前記サーバー２０から受信された情報中、セッションＩＤと、連絡目録情報と、状態情報とを前記移動通信端末機の非揮発性メモリに保存する。
【００３０】
また、ユーザーが前記移動通信端末機のバッテリーの交換などの理由により、前記セッションが開放された状態で前記移動通信端末機の電源をオフし、前記の作業を終了した後に前記移動通信端末機の電源をオンすると、前記移動通信端末機のＩＭＰＳクライアント１０は、メモリに保存されたセッション情報からセッションＩＤを抽出し、前記サーバー２０に活動維持要求メッセージを送信し、前記サーバー２０から活動維持応答メッセージを受信することで、前記セッションが有効であるかどうかを確認する。前記セッションが有効であるかどうかによって、前記ＩＭＰＳクライアント１０とサーバー２０間のセッション開放過程が異なってくる。
【００３１】
また、前記活動維持応答メッセージが「成功」の値を含むと、前記ＩＭＰＳクライアント１０は、前記サーバー２０に状態情報獲得要求メッセージを送信し、その応答で状態情報獲得応答メッセージを受信することで、前記メモリに保存された連絡目録の状態情報を更新する。ここで、前記活用維持応答メッセージが「成功」の値を含むと、前記移動通信端末機の電源を再起動する以前のセッションがまだ有効なものである。
【００３２】
このような状態情報更新過程を通じて、前記ＩＭＰＳクライアント１０とサーバー２０間のセッションが成功的に開放された後、前記ＩＭＰＳクライアント１０は、ユーザーにより変更されたセッション情報があるかどうかを判断し、変更された情報があると、変更されたセッション情報を前記メモリに更新／保存する。このとき、前記ＩＭＰＳクライアント１０は、前記変更されたセッション情報のみを選択して更新／保存するか、又は全てのセッション情報を更新／保存することができる。
【００３３】
反面、前記活動維持応答メッセージが「エラー」の値を含むと、前記ＩＭＰＳクライアント１０は、前記セッションが終了したと判断し、従来と同様のセッション設定過程を全て行う。
【００３４】
このような本発明に係るセッション復旧方法は、前記ＩＭＰＳクライアントがセッション情報をメモリに保存した後、セッションをログアウトしない状態で移動通信端末機の電源を再起動する場合に適用することができる。ユーザーが前記セッションを閉鎖（ログアウト）すると前記メモリに保存されたセッション情報が削除されるため、前記移動通信端末機の電源が再起動された後に再びセッションを開放するためには、従来と同様のセッション設定過程を全て行わなければならない。
【００３５】
しかしながら、本発明に係るセッション復旧方法においては、従来のセッション設定過程中、ログイン過程と、サービス要求過程と、連絡目録獲得過程と、リスト管理過程と、自分の状態情報更新過程と、遮断目録獲得過程とは全て行わなくてもよい。
【００３６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３７】
移動通信端末機のＩＭＰＳクライアントセッション復旧時間を短縮し得る移動通信端末機のクライアントセッション復旧方法を提供する。
【００３８】
移動通信端末機のクライアントセッション復旧方法は、移動通信端末機に搭載されたクライアントがサーバーとのセッションを開放する過程と、クライアントが移動通信端末機のメモリにセッション情報を保存する過程と、セッションが開放された状態で移動通信端末機が再起動すると、クライアントがメモリに保存されたセッション情報を利用して、サーバーとのセッションを再開放する過程とを含む。
【図面の簡単な説明】
【００３９】
【図１】本発明に係る移動通信端末機のＩＭＰＳクライアントセッション復旧方法を示したフローチャートである。
【図２】本発明に係る移動通信端末機のＩＭＰＳクライアントセッション復旧方法の一実施例を示した信号フローチャートである。
【図１】
2005354687.tif 000003
【図２】
2005354687.tif 000004